(57)【要約】【課題】重量物である巻上機を少人数により省スペース内で容易に移動させることができる巻上機の据付方法及び巻上機の据付装置を提供する。【解決手段】エレベータの昇降路６内上部に設置されたマシンベッド３上に巻上機１を据付ける際、昇降路６に設けられた乗りかご４に巻上機１の仮置き台５を設け、この仮置き台５上に巻上機１を仮置きして上昇させ、その支持面をマシンベッド３の支持面と同じ高さに位置合わせする。そして、昇降路６内のマシンベッド３近くに取り付けた滑車９に巻き掛けられ、一端が巻上機１に取り付けられた牽引用冶具２４に係止されたロープ１０の他端と、昇降路６内の別の位置との間に係止された手動揚重機８により、ロープ１０を巻き取ることで、巻上機１をマシンベッド３上に移動させる。【選択図】図１
2011068439.tif 000002
【特許請求の範囲】
【請求項１】
エレベータの昇降路内上部に設置されたマシンベッド上に巻上機を据付るための巻上機の据付方法であって、
前記昇降路に昇降可能に設けられた乗りかごに前記巻上機の仮置き台を設け、この仮置き台上に前記巻上機を仮置きして前記乗りかごを上昇させ、前記仮置き台の支持面を前記マシンベッドの支持面と同じ高さに位置合わせし、
前記昇降路内のマシンベッド近くに取り付けた滑車に巻き掛けられ、一端が前記巻上機に取り付けられた牽引用冶具に係止されたロープの他端と、前記昇降路内の前記滑車とは別の位置との間に係止された手動揚重機により、前記ロープを巻き取ることで、前記巻上機を前記マシンベッドの支持面上に移動させる
ことを特徴とする巻上機の据付方法。
【請求項２】
エレベータの昇降路内上部に設置されたマシンベッド上に巻上機を据付るための巻上機の据付装置であって、
前記マシンベッドの支持面と同じ高さに位置合わせされた仮置き台上の前記巻上機に取り付けられた牽引用冶具と、
前記マシンベッド近くの昇降路内に取り付けられた滑車冶具と、
この滑車冶具の滑車に巻き掛けられ、一端が前記巻上機に取り付けられた牽引用冶具に係止されたロープと、
このローブの他端と、前記昇降路内の前記滑車冶具が設けられた位置とは別の位置との間に係止され、巻上操作により前記ロープを介して前記巻上機を前記マシンベッドの支持面上に移動させる手動揚重機と、
を備えたことを特徴とする巻上機の据付装置。
【請求項３】
前記滑車冶具は、前記滑車と、この滑車を昇降路構成体に取り付ける取り付け部とから成り、この取り付け部は前記滑車の高さ位置を調整可能に構成されていることを特徴とする請求項２に記載の巻上機の据付装置。
【請求項４】
前記巻上機は、その回転軸の一端にシーブが一体的に固定されており、前記牽引冶具は、このシーブの両端面を挟み込むように係合する係合フレームを有し、この係合フレームの外面には、前記ロープの一端を係止するための係止部が設けられていることを特徴とする請求項２又は３に記載の巻上機の据付装置。
【請求項５】
前記巻上機は、その回転軸の一端にシーブが一体的に固定され、かつその本体部外周面には軸体が突出形成され、前記牽引冶具は、Ｌ字形に形成された係合フレームを有し、この係合フレームのＬ字の一辺には、前記軸体と係合する係合孔が設けられ、またＬ字の他辺外面には、前記ロープの一端を係止するための係止部が設けられていることを特徴とする請求項２又は３に記載の巻上機の据付装置。
【請求項６】
前記巻上機は、その回転軸の一端にシーブが一体的に固定され、かつその本体部外周の下部両側には、据付孔を有する据付部が一体に設けられており、前記牽引冶具は、前記据付部に設けられた据付孔とそれぞれ係合する係合部を先端部に有し、この係合部が前記据付孔に係合した状態で前記シーブを囲むように配置される一対の脚部を有するＵ字形の係合フレームを有し、この係合フレームのＵ字形の底辺部には、前記ロープの一端を係止するための係止部が設けられていることを特徴とする請求項２又は３に記載の巻上機の据付装置。
【請求項７】
前記巻上機は、その回転軸の一端にシーブが一体的に固定され、このシーブの外端面にはネジ穴が形成されており、前記牽引冶具は、一面が前記シーブの外端面に接合し、前記ネジ穴に対向する部分には貫通孔が形成された係合フレームを有し、このフレームの前記外端面には、前記ロープの一端を係止するための係止部が設けられており、前記係合フレームは、前記貫通孔を貫通し前記ネジ穴に螺合するボルトにより、前記シーブの外端面に一体的に取り付けられることを特徴とする請求項２又は３に記載の巻上機の据付装置。
【発明の詳細な説明】
【技術分野】
【０００１】
本発明は、昇降路内の頂部に巻上機を据付るための巻上機の据付方法及び据付装置に関する。
【背景技術】
【０００２】
マシンルームレスエレベータは、巻上機などの機器類が設置されるマシンルームを持たないために、巻上機は昇降機内に設置する必要があり、例えば、昇降路内の頂部に巻上機を設置する構成のものが多数提案されている（例えば、特許文献１参照）。図１１は、マシンルームレスエレベータの昇降路６内の頂部に巻上機１を据付る場合の作業状態を説明する平面図である。
【０００３】
図１１で示すように、昇降路６内には乗りかご４が、その両側に設けられた一対のガイドレール２ａにより昇降可能に設置されている。また、乗りかご４の背面部には図示しない釣合錘が、その両側に設けられた一対のガイドレール２ｂにより昇降可能に設置されている。昇降路６内の頂部には、上記各ガイドレール２ａ，２ｂの上端部にやぐら１４が構成され、このやぐら１４上には、巻上機１が据付られるマシンベッド３が設置されている。
【０００４】
このマシンベッド３上に巻上機１を据付る場合は、まず乗りかご４の上部に巻上機仮置き台５を設置し、この仮置き台５上に巻上機１を載せた状態で、乗りかご４を昇降路６の最上部の巻上機取り付け高さまで上昇させる。こののち、現地作業者７がマシンベット３へ巻上機１を人力で移動させている。
【先行技術文献】
【特許文献】
【０００５】
【特許文献１】特開２００６−２６４８６２号公報
【発明の概要】
【発明が解決しようとする課題】
【０００６】
上述した従来の据付方法では、巻上機１のような重量物を現地作業者の人力で移動させており、作業者に対して大きな負担を与えている。一般に、昇降路６の最上部のマシンベット３を取り付けた位置は高所であり、しかも作業空間は限られているので、多くの作業員によって作業することができず、人力による巻上機の移動作業は作業者にとって極めて困難であり、改善が望まれている。
【０００７】
本発明の目的は、重量物である巻上機を少人数により省スペース内で容易に移動させることができる巻上機の据付方法及び巻上機の据付装置を提供することにある。
【課題を解決するための手段】
【０００８】
本発明による巻上機の据付方法は、エレベータの昇降路内上部に設置されたマシンベッド上に巻上機を据付るための巻上機の据付方法であって、前記昇降路に昇降可能に設けられた乗りかごに前記巻上機の仮置き台を設け、この仮置き台上に前記巻上機を仮置きして前記乗りかごを上昇させ、前記仮置き台の支持面を前記マシンベッドの支持面と同じ高さに位置合わせし、前記昇降路内のマシンベッド近くに取り付けた滑車に巻き掛けられ、一端が前記巻上機に取り付けられた牽引用冶具に係止されたロープの他端と、前記昇降路内の前記滑車とは別の位置との間に係止された手動揚重機により、前記ロープを巻き取ることで、前記巻上機を前記マシンベッドの支持面上に移動させることを特徴とする。
【０００９】
また、本発明による巻上機の据付装置は、エレベータの昇降路内上部に設置されたマシンベッド上に巻上機を据付るための巻上機の据付装置であって、前記マシンベッドの支持面と同じ高さに位置合わせされた仮置き台上の前記巻上機に取り付けられた牽引用冶具と、前記マシンベッド近くの昇降路内に取り付けられた滑車冶具と、この滑車冶具の滑車に巻き掛けられ、一端が前記巻上機に取り付けられた牽引用冶具に係止されたロープと、このローブの他端と、前記昇降路内の前記滑車冶具が設けられた位置とは別の位置との間に係止され、巻上操作により前記ロープを介して前記巻上機を前記マシンベッドの支持面上に移動させる手動揚重機とを備えたことを特徴とする。
【００１０】
本発明装置では、前記滑車冶具は、前記滑車と、この滑車を昇降路構成体に取り付ける取り付け部とから成り、この取り付け部は前記滑車の高さ位置を調整可能に構成してもよい。
【００１１】
また、本発明装置では、前記巻上機は、その回転軸の一端にシーブが一体的に固定されており、前記牽引冶具は、このシーブの両端面を挟み込むように係合する係合フレームを有し、この係合フレームの外面には、前記ロープの一端を係止するための係止部が設けられている。
【００１２】
また、本発明装置では、前記巻上機は、その回転軸の一端にシーブが一体的に固定され、かつその本体部外周面には軸体が突出形成され、前記牽引冶具は、Ｌ字形に形成された係合フレームを有し、この係合フレームのＬ字の一辺には、前記軸体と係合する係合孔が設けられ、またＬ字の他辺外面には、前記ロープの一端を係止するための係止部が設けられた構成でもよい。
【００１３】
また、本発明装置では、前記巻上機は、その回転軸の一端にシーブが一体的に固定され、かつその本体部外周の下部両側には、据付孔を有する据付部が一体に設けられており、前記牽引冶具は、前記据付部に設けられた据付孔とそれぞれ係合する係合部を先端部に有し、この係合部が前記据付孔に係合した状態で前記シーブを囲むように配置される一対の脚部を有するＵ字形の係合フレームを有し、この係合フレームのＵ字形の底辺部には、前記ロープの一端を係止するための係止部が設けられた構成でもよい。
【００１４】
さらに、本発明装置では、前記巻上機は、その回転軸の一端にシーブが一体的に固定され、このシーブの外端面にはネジ穴が形成されており、前記牽引冶具は、一面が前記シーブの外端面に接合し、前記ネジ穴に対向する部分には貫通孔が形成された係合フレームを有し、このフレームの前記外端面には、前記ロープの一端を係止するための係止部が設けられており、前記係合フレームは、前記貫通孔を貫通し前記ネジ穴に螺合するボルトにより、前記シーブの外端面に一体的に取り付けられる構成でもよい。
【発明の効果】
【００１５】
本発明によれば、重量物である巻上機を少人数により省スペースで移動させるので、安全性を向上させると共に、作業性も向上させることができる。
【図面の簡単な説明】
【００１６】
【図１】本発明による巻上機の据付装置の一実施の形態を示す平面図である。
【図２】同情一実施の形態に用いる手動楊重機を示す斜視図である。
【図３】本発明に用いる滑車冶具を示しており、（ａ）は正面図、（ｂ）は右側面図である。
【図４】本発明に用いる滑車冶具の他の構成例を示しており、（ａ）は正面図、（ｂ）は右側面図である。
【図５】本発明に用いる牽引冶具を示しており、（ａ）は部分正面図、（ｂ）は（a）のｂ−ｂ矢視図である。
【図６】図５で示した牽引冶具の斜視図である。
【図７】本発明に用いる別の牽引冶具と巻上機との関係を示す部分断面図である。
【図８】本発明に用いるさらに別の牽引冶具と巻上機との関係を示しており（ａ）は正面図、（ｂ）は平面図である。
【図９】図８で示した牽引冶具の斜視図である。
【図１０】本発明に用いる尚さらに別の牽引冶具と巻上機との関係を示しており（ａ）は正面図、（ｂ）は右側面図である。
【図１１】従来方法による巻上機の据付状態を説明する平面図である。
【発明を実施するための形態】
【００１７】
以下、本発明の一実施の形態について、図面を用いて詳細に説明する。
【００１８】
図１は、この実施の形態によるエレベータの巻上機の据付装置示している。図１において、昇降路６内には乗りかご４が、その両側に設けられた一対のガイドレール２ａにより昇降可能に設置されている。また、乗りかご４の背面部には図示しない釣合錘が、その両側に設けられた一対のガイドレール２ｂにより昇降可能に設置されている。昇降路６内の頂部には、各ガイドレール２ａ，２ｂの上端部にやぐら１４が構成され、このやぐら１４上には、巻上機１が据付られるマシンベッド３が設置されている。
【００１９】
このマシンベッド３上に巻上機１を据付る場合は、まず乗りかご４の上部に設置した仮置き台５上に巻上機１を載せ、この状態で、乗りかご４を昇降路６の最上部の巻上機取り付け高さまで上昇させる。次に、この仮置き台５上の巻上機１をマシンベッド３上に移動させる。この移動には、以下に説明する各構成要素から成る巻上機の据付装置を用いる。
【００２０】
この据付装置の各構成要素とは、牽引用冶具２４、滑車冶具９、ロープ１０、手動揚重機８、吊元用冶具１１である。
【００２１】
牽引用冶具２４は、マシンベッド３の支持面と同じ高さに位置合わせされた仮置き台５上の巻上機１の一端部に取り付けられる。滑車冶具９は、昇降路６内のマシンベッド３近くの位置に配置され、やぐら１４上に取り付けられている。ロープ１０は、滑車冶具９の後述する滑車に巻き掛けられており、その一端は巻上機１に取り付けられた牽引用冶具２４に係止されている。手動揚重機８は、ローブ１０の他端と、昇降路６内に設置された吊元用冶具１１との間に係止され、作業者７による巻上操作によりロープ１０を介して巻上機１をマシンベッド３の支持面上に移動させる。吊元用冶具１１は、昇降路６内の、滑車冶具９が設けられた位置とは別の位置に固定されている。
【００２２】
ここで、手動楊重機８は、図２で示すように、歯車機構が内在された本体部８ａを有し、その一端にはフック８ｂが取り付けられている。本体部８ａからは荷くさり８ｃが垂下されており、本体８ａ内に連結する手くさり８ｄを操作することにより、先端にフック８ｅを設けた荷くさり８ｃを,本体部８ａに巻き取ったり或いは繰り出したりする。
【００２３】
上記構成において、巻上機１を移動させる場合は、牽引冶具２４が設けられた一端部から巻上機１の軸方向に沿う延長線上に、巻上機１を水平移動させるための揚重用ワイヤーロープ１０を折り返す滑車治具９を設置する。この揚重用ワイヤーロープ１０の一端を巻上機１に固定した牽引冶具２４に係止し、その他端は、昇降路６内の壁面に固定している吊元用治具１１との間に設けられた手動揚重機８のフックに接続する。そして、手動揚重機８を巻上操作することにより、ワイヤーロープ１０を介して巻上機１を、その軸方向に沿って移動させ、マシンベッド３上に据付ける。
【００２４】
このように、巻上機１を、手動揚重機８を用いて、マシンベット３上ヘ移動させることが出来るので、従来の人手により移動させる場合に比べ、作業人員は少なくてよくなり、しかも作業者に対する負担も大幅に軽減されることから、狭い昇降路頂部での作業が容易になり、作業性及び安全性が共に向上する。
【００２５】
ここで、前記滑車治具９は、図３（ａ）（ｂ）で示すように構成されている。なお、同図（ｂ）は（ａ）の右側面図である。この滑車冶具９は、滑車１９と、この滑車１９を昇降路６内の構成体であるやぐら１４上に取り付ける取り付け部とから成る。この取り付け部は、コの字に曲げ加工を施した平板鋼板１２、１３を向い合わせ状に組み合わせたものである。そして、この向い合わせ状に組み合わされた平板鋼板１２、１３の図示上辺部間に、滑車１９が回転自在に軸支されている。また、両平板鋼板１２、１３の底辺側の平板面中央部に孔加工が施されており、マシンベット３の土台であるやぐら１４上において、上記孔を貫通するボルト１５，及びこれと組み合わされるナット１６、バネ座１７，平座１８により、一体的に締め付け固定される。
【００２６】
このように、滑車治具９をやぐら１４に固定することで強度を保持させ、滑車１９を使用することで揚重用ワイヤーロープ１０を折り返して使用することができ、狭いスペース内での巻上機１の移動を容易にすることが可能となる。
【００２７】
図４（ａ）（ｂ）は、図３（ａ）（ｂ）で示した滑車治具９の変形例を示している。図４（ａ）（ｂ）で示す滑車治具９の取り付け部は、滑車１９の高さ位置を調整可能に構成したものである。すなわち、この取り付け部は、Ｌ字に曲げ加工を施した平板鋼板２０，２１をコ字形に組み合わせたものと、同じくＬ字に曲げ加工を施した平板鋼板２２，２３をコ字形に組み合わせたものとを、向い合わせ状に組み合わせている。そして、これらの底辺側の平板面中央部に施された孔にボルト１５を貫通させ、これと組み合わされるナット１６、バネ座１７，平座１８により、やぐら１４上に一体的に締め付け固定される。
【００２８】
Ｌ字に曲げ加工を施した平板鋼板２０の図示垂直面部には、図４（ｂ）で示すように長孔２０ａが縦向きに設けられており、これと対向する平板鋼板２１の図示垂直面部は図示しないが貫通孔が設けられている。そして、これらを貫通するボルト１５，及びこれと組み合わされるナット１６、バネ座１７，平座１８により、一体的に締め付け固定される。また、他方のＬ字に曲げ加工された平板鋼板２２，２３の図示垂直面部も同様に構成されている。したがって、これらＬ字加工された平板鋼板２１，２３は、長孔の範囲内で上下に位置調整可能であり、それらの図示上辺部間に軸支されている滑車１９の上下方向の位置を調整することができる。
【００２９】
このように構成したことにより、巻上機１に取付ける揚重用ワイヤーロープ１０の取り付け高さを調整し水平に保つことが可能となる。
【００３０】
図５（ａ）（ｂ）は、巻上機１と、その一端に取り付けられる牽引用冶具２４との関係を示している。なお図５（ｂ）は同図（ａ）のｂ−ｂ矢視図である。また、図６は牽引用冶具２４の斜視図である。これらの図において、巻上機１は、その回転軸の一端にシーブ１ａが一体的に固定されている。牽引冶具２４は、このシーブ１ａの図示左右両端面を挟み込むように係合する係合フレームを有し、この係合フレームの外面（図示右面）には、ロープ１０の一端を係止するための係止部２６が設けられている。
【００３１】
すなわち、牽引冶具２４の係合フレームは平板鋼板をコの字に曲げ加工したもので、コの字を成す図５（ａ）の左側面部には、図５（ｂ）で示すように、その中心部から長手方向に切り欠き２４ａが施されている。そして、この牽引冶具２４のコの字形の係合フレームを、その切り欠き２４ａ内に巻上機１の回転軸が収まるようにして、シーブ１ａの図示左右両端面を挟み込むように係合する。また、牽引冶具２４のコの字形の先端間には平板鋼板２５をネジ止めし、この先端間を覆っている。さらに、係止部２６は、引っ張り用の孔加工を施した平板鋼板を、図示右外側面に溶接により取付けている。
【００３２】
この牽引冶具２４は巻上機１を引張るための治具であり、揚重用のワイヤーロープ１０を巻上機に容易に接続することが可能となる。
【００３３】
牽引冶具は上記構成に限定されるものではなく、図７のように構成してもよい。図７において、巻上機１には、その本体部の外周面にボルト状の軸体３０が突出形成されている。このボルト状の軸体３０は、揚重用のアイナット２８を、巻上機本体部の外周面に螺着させるためのものである。牽引冶具２７は、Ｌ字形に形成された係合フレームを有し、この係合フレームのＬ字の一辺（図示水平面）には、軸体３０と係合する係合孔が設けられている。またＬ字の他辺（図示垂直面）外面には、ロープ１０の一端を係止するための係止部２６が設けられている。
【００３４】
牽引器具２７を装着する場合には、平板鋼板をＬ字に曲げ加工した係合フレームの長手側（図示水平面）に施された孔を、巻上機１の上部外周面に設けられた軸体３０に係合させる。係止部２６は、引っ張り用の孔加工を施した平板鋼板を、Ｌ字曲げ平板鋼板の短手側（図示垂直面）の中央部に、巻上機引っ張り用の孔加工を施した平板鋼板を溶接取付した構造で、その孔内にはロープ１０の一端が係止される。
【００３５】
図８（ａ）（ｂ）及び図９は、別の牽引冶具２９を示している。図８（ａ）（ｂ）において、巻上機１は、その本体部外周の下部両側に、フランジ状の据付部３１が一体に設けられており、この据付部３１には、図示しない据付ボルト用の貫通孔（以下、据付孔と呼ぶ）３２が設けられている。牽引冶具２９は、図９で示すように平板鋼板をＵ字形に切断加工した係合フレームを有し、このＵ字を成す一対の脚部先端には、円柱状の鉄棒から成る係合部３０が溶接により一体に設けられている。この牽引冶具２９は、Ｕ字の先端部に設けた係合部３０が、巻上機１の据付孔３２に係合した状態で、Ｕ字を成す両脚部が、シーブ１ａを囲むように取り付けられる。牽引冶具２９のＵ字形係合フレームの底辺部には、ロープ１０の一端を係止するための係止部として、係合孔２９ａが設けられている。
【００３６】
この牽引冶具２９は、Ｕ字の先端部に設けた係合部３０が、据付孔３２に係合した状態で巻上機１に取り付けられる。したがって、Ｕ字形の底辺部に形成された係止部２９ａにロープ１０の一端を係止し、図１で示した揚重機８を操作することにより、巻上機１をその軸方向に牽引して移動させることができる。
【００３７】
さらに、図１０（ａ）（ｂ）により別の牽引冶具３４を説明する。巻上機１のシーブ１ａの外端面には図示しないがネジ穴が形成されている。３４牽引冶具は、その一面がシーブ１ａの外端面に接合し、ネジ穴に対向する部分には貫通孔３４ａが形成された円盤状の係合フレームを有する。この係合フレームの他面（図示右側面）には、ロープ１０の一端を係止するための係止部２６が設けられている。牽引冶具３４は、円盤状の係合フレームに設けた貫通孔３４ａを貫通し、シーブ１ａ側のネジ穴に螺合するボルト１５により、シーブ１ａの外端面に一体的に取り付けられる。
【００３８】
このように構成された牽引冶具３４は、簡単な構成で、シーブ１ａへの取り付けが容易であり、その係止部２６に一端を係止したロープ１０により、巻上機１をその軸方向に移動させることができる。
【００３９】
このように巻上機１の移動での安全性を向上させることが可能となり、狭い作業空間であっても揚重機８を使用することで、作業性を向上させることが出来る。
【符号の説明】
【００４０】
１…巻上機
２ａ，２ｂ…ガイドレール
３…マシンベッド
４…乗りかご
５…仮置き台
６…昇降路
８…手動楊重機
９…滑車冶具
１０…ロープ
１１…吊り元用冶具
１４…やぐら
１９…滑車
２４,２７,２９,３４…牽引冶具
２６…係止部
【図１】
2011068439.tif 000003
【図２】
2011068439.tif 000004
【図３】
2011068439.tif 000005
【図４】
2011068439.tif 000006
【図５】
2011068439.tif 000007
【図６】
2011068439.tif 000008
【図７】
2011068439.tif 000009
【図８】
2011068439.tif 000010
【図９】
2011068439.tif 000011
【図１０】
2011068439.tif 000012
【図１１】
2011068439.tif 000013